(57)【要約】【課題】本発明は、光磁気ディスク２にＢＣＡを記録する場合に、生産性を向上することができるようにする。【解決手段】本発明は、初期化処理の後、初期化の処理に供する磁界（４）の極性を反転させてレーザービームの光量を間欠的に立ち上げてＢＣＡを作成する。【選択図】        図１
2004234768.tif 000002
【特許請求の範囲】
【請求項１】
光磁気ディスクの情報記録面を一様な極性に垂直磁化して前記光磁気ディスクを初期化する初期化装置において、
前記光磁気ディスクを回転駆動する光磁気ディスク駆動手段と、
前記光磁気ディスクに磁界を印加する磁界印加手段と、
前記光磁気ディスクにレーザービームを照射するレーザービーム照射手段と、前記磁界印加手段、前記レーザービーム照射手段とを一体に保持して、前記光磁気ディスクの半径方向に可動する可動手段と、
前記光磁気ディスク駆動手段、前記磁界印加手段、前記レーザービーム照射手段、前記可動手段を制御する制御手段とを備え、
前記制御手段の制御により、
前記光磁気ディスクを回転させて、前記可動手段により前記磁界印加手段、前記レーザービーム照射手段を前記光磁気ディスクの半径方向に可動することにより、前記光磁気ディスクの情報記録面の全面を前記レーザービームにより走査して前記光磁気ディスクを初期化した後、
前記光磁気ディスクの内周側において、前記磁界印加手段による磁界の極性を反転させて、前記レーザービームの光量を間欠的に立ち上げることにより、ＢＣＡを作成する
ことを特徴とする初期化装置。
【発明の詳細な説明】
【０００１】
【発明の属する技術分野】
本発明は、初期化装置に関し、特に光磁気ディスクの初期化装置に適用することができる。本発明は、初期化処理の後、初期化の処理に供する磁界の極性を反転させてレーザービームの光量を間欠的に立ち上げてＢＣＡを作成することにより、光磁気ディスクにＢＣＡを記録する場合に、生産性を向上することができるようにする。
【０００２】
【従来の技術】
従来、相変化の光ディスク等においては、図４に示すように、情報記録面の最内周に放射状にバーコードを形成した領域（ＢＣＡ：Ｂｕｒｓｔ  Ｃｕｔｔｉｎｇ  Ａｒｅａ）を形成するようになされており、近年このバーコードによる情報により違法コピーを防止する方法が種々に提案されるようになされている（例えば特開平５−３２５４１８号公報等）。
【０００３】
このようなＢＣＡにおいては、例えば特開２００２−２４３６３６号公報に開示されているように、ピットが形成されてなる領域にレーザービームを照射してバーコードを重ね書きすることにより作成されるようになされている。
【０００４】
【特許文献１】
特開平５−３２５４１８号公報
【特許文献２】
特開２００２−２４３６３６号公報
【０００５】
【発明が解決しようとする課題】
ところで光磁気ディスクにおいても、このようなＢＣＡの記録により違法コピーを有効に回避し得えると考えられる。この場合、光磁気ディスクを初期化する初期化装置を用いて、併せてＢＣＡを記録することにより、既存の設備を有効に利用してＢＣＡを記録し得ると考えられる。
【０００６】
すなわち光磁気ディスクの初期化装置においては、初期化に供する光磁気ディスクを間に挟んで、永久磁石と光学ヘッドとを対向させて保持し、光磁気ディスクを回転させながらこの永久磁石と光学ヘッドとを光磁気ディスクの半径方向に順次偏位させる。
【０００７】
初期化装置は、この光学ヘッドにより光磁気ディスクにレーザービームを照射し、光磁気ディスクの半径方向が長軸の延長方向となるように設定された偏平のビーム形状によりこのレーザービームが形成される。初期化装置は、この光学ヘッドによるレーザービームの照射位置に永久磁石により着磁用磁界を形成し、これにより熱磁気記録の手法を適用して、光磁気ディスクの情報記録面を一様な極性に垂直磁化して初期化の処理を実行する。かくするにつき、このようにして初期化した場合にあっては、何ら初期化しない場合に比して、再生信号のＳＮ比を向上することができる。
【０００８】
このような初期化装置において、ＢＣＡの記録を試みる場合、このようにして初期化の処理を完了すると、オペレータが永久磁石を取り外して向きを永久磁石の向きを反転させ、これにより永久磁石による磁界の向きを反転させる。この状態で、光学ヘッド及び永久磁石を光磁気ディスクの最内周に移動させた後、光磁気ディスクを回転させながら、ＢＣＡの分だけ光学ヘッド及び永久磁石を外周側に順次移動させる。このとき初期化装置において、光磁気ディスクの回転角を基準にして、ＢＣＡに記録するデータに応じて、間欠的にレーザービームの光量を立ち上げ、これにより初期化の処理により一様に垂直磁化した領域に、この初期化による極性とは逆極性の領域をバーコード状に形成し、ＢＣＡを記録する。
【０００９】
しかしながらこのような手法に係るＢＣＡの記録にあっては、初期化を終了した後、オペレータによりいちいち永久磁石の向きを反転させることが必要なことにより、生産性が劣る問題がある。
【００１０】
本発明は以上の点を考慮してなされたもので、光磁気ディスクにＢＣＡを記録する場合に、生産性を向上することができる初期化装置を提案しようとするものである。
【００１１】
【課題を解決するための手段】
かかる課題を解決するため請求項１の発明においては、光磁気ディスクの情報記録面を一様な極性に垂直磁化して前記光磁気ディスクを初期化する初期化装置に適用して、前記光磁気ディスクを回転駆動する光磁気ディスク駆動手段と、前記光磁気ディスクに磁界を印加する磁界印加手段と、前記光磁気ディスクにレーザービームを照射するレーザービーム照射手段と、前記磁界印加手段、前記レーザービーム照射手段とを一体に保持して、前記光磁気ディスクの半径方向に可動する可動手段と、前記光磁気ディスク駆動手段、前記磁界印加手段、前記レーザービーム照射手段、前記可動手段を制御する制御手段とを備え、前記制御手段の制御により、前記光磁気ディスクを回転させて、前記可動手段により前記磁界印加手段、前記レーザービーム照射手段を前記光磁気ディスクの半径方向に可動することにより、前記光磁気ディスクの情報記録面の全面を前記レーザービームにより走査して前記光磁気ディスクを初期化した後、前記光磁気ディスクの内周側において、前記磁界印加手段による磁界の極性を反転させて、前記レーザービームの光量を間欠的に立ち上げることにより、ＢＣＡを作成する。
【００１２】
請求項１の構成によれば、初期化の処理の後、続いてＢＣＡを記録し得ることにより、何らオペレータの手を煩わせることなく、ＢＣＡを記録することができ、これにより光磁気ディスクにＢＣＡを記録する場合に、生産性を向上することができる。
【００１３】
【発明の実施の形態】
以下、適宜図面を参照しながら本発明の実施の形態を詳述する。
【００１４】
（１）実施の形態の構成
図１は、本発明の実施の形態に係る初期化装置を示すブロック図である。この初期化装置１は、光磁気ディスク２を初期化し、このときオペレータの設定に応じてＢＣＡを記録する。
【００１５】
この初期化装置１において、スピンドルモータ３は、サーボ回路１０の駆動により光磁気ディスク２を所定速度により回転駆動する。
【００１６】
磁気ヘッド４は、光学ヘッド５と一体に保持され、送りモータ６により光磁気ディスクの半径方向に可動し得るようになされ、垂直磁界を光磁気ディスク２に印加する。すなわち磁気ヘッド４は、磁気回路を構成するヨーク４Ａとコイル４Ｂとにより構成され、コイル４Ｂが、光磁気ディスク２の情報記録面に近接して保持され、磁界駆動回路７の駆動により磁界を発生するようになされている。ヨーク４Ａは、光磁気ディスク２を間に挟んでコイル４Ｂと対向する部位により、光磁気ディスク２を鎖交するこのコイル４Ｂの一端からの磁束を受け、この磁束をコイル４Ｂの他端に帰還するように、光磁気ディスク２の半径方向に延長する断面コの字形状により形成され、コイル４Ｂを最内周側にまで移動させることができるように、このコの字形状により半径方向に延長する部位が十分な長さにより形成されるようになされている。ヨーク４Ａは、このコイル４Ｂと対向する部位に、光学ヘッド５からのレーザービームを通過させる開口が形成されるようになされ、これにより磁界の印加してなる部位に光学ヘッド５からのレーザービームを照射し得るようになされている。また磁界駆動回路７によりコイル４Ｂの駆動を切り換えて、光磁気ディスク２に印加する磁界の極性を切り換えることができるようになされている。
【００１７】
これにより光学ヘッド５は、この磁気ヘッド４のヨーク４Ａに形成された開口を介して、光磁気ディスク２にレーザービームを照射する。光学ヘッド５は、このレーザービームを照射する光学系に、光磁気ディスク２の半径方向に対応する方向と、この方向と直交する方向とで焦点距離が異なるビーム整形用の光学系が設けられ、これにより光磁気ディスクの半径方向が長軸の延長方向となるように設定された偏平のビーム形状によりレーザービームを光磁気ディスク２に照射し、効率良く光磁気ディスク２を初期化し得るようになされている。
【００１８】
光学ヘッド５は、この光磁気ディスク２に照射するレーザービームの光量をレーザー駆動回路８の駆動により立ち上げ、またこのようにレーザービームを光磁気ディスク２に照射してその戻り光を所定の受光素子により受光して受光結果を信号処理回路９に出力するようになされている。またサーボ回路１０の駆動によりレーザービームを照射する対物レンズを可動してフォーカス制御できるようになされている。
【００１９】
送りモータ６は、これら磁気ヘッド４、光学ヘッド５をサーボ回路１０の駆動により光磁気ディスク２の半径方向に可動する。
【００２０】
信号処理回路９は、光学ヘッド５から出力される受光結果を処理することにより、光学ヘッド５のフォーカス制御に必要な信号を生成して出力する。また一連の処理に係るモニタ用信号を生成し、このモニタ用信号を処理してシステム制御回路１１に出力する。
【００２１】
磁界駆動回路７は、システム制御回路１１の制御により、又はＢＣＡ信号生成回路１２から出力されるＢＣＡ信号に応じて、磁気ヘッド４のコイル４Ｂを駆動し、これにより光磁気ディスク２に所定極性の磁界を印加する。
【００２２】
レーザー駆動回路８は、システム制御回路１１の制御により、又はＢＣＡ信号生成回路１２から出力されるＢＣＡ信号に応じて、光学ヘッド５から出力されるレーザービームの光量を制御する。
【００２３】
サーボ回路１０は、システム制御回路１１の指示により、スピンドルモータ３を駆動して光磁気ディスク２を所定の回転速度で回転させ、また送りモータ６を駆動して磁気ヘッド４、光学ヘッド５を光磁気ディスク２の半径方向に可動させる。また信号処理回路９から出力されるフォーカス制御に係る信号により光学ヘッド５をフォーカス制御する。またスピンドルモータが所定の回転角度だけ回転する毎に信号レベルが立ち上がる回転角度信号ＦＧをスピンドルモータ３に設けられたエンコーダより取得し、この回転角度信号ＦＧをＢＣＡ信号生成回路１２に出力する。
【００２４】
ＢＣＡ信号生成回路１２は、システム制御回路１１の制御によりＢＣＡを記録するときに動作を立ち上げ、ＢＣＡの記録に供するデータ列を所定フォーマットにより変調し、その結果得られる変調データを回転角度信号ＦＧを基準にして繰り返し出力する。
【００２５】
システム制御回路１１は、この初期化装置１全体の動作を制御するコンピュータであり、オペレータの設定に応じて、初期化処理するように、又は初期化処理した後、ＢＣＡを記録するように、全体の動作を制御する。
【００２６】
すなわちシステム制御回路１１は、オペレータにより光磁気ディスク２の初期化処理のみが指示されると、図示しないロボットにより光磁気ディスク２を装填した後、サーボ回路１０に処理の開始を指示し、光磁気ディスク２の回転駆動を開始させる。またこのようにして光磁気ディスク２を回転させた状態で、サーボ回路１０により所定位置に退避させてなる磁気ヘッド４及び光学ヘッド５を徐々に光磁気ディスク２の内周側に変位させながら、磁界駆動回路７及びレーザー駆動回路８を駆動して、書き込みの光量で光磁気ディスク２にレーザービームを連続して照射し、このレーザービーム照射位置に一定極性の磁界を継続して印加する。またこのようにして磁気ヘッド４及び光学ヘッド５を徐々に光磁気ディスク２の内周側に変位させて、最内周に至ると、光磁気ディスク２を排出可能に磁気ヘッド４及び光学ヘッド５を外周側に移動させ、図示しないロボットによりこの光磁気ディスク２を排出し、処理対象を続く光磁気ディスク２に切り換える。これによりシステム制御回路１１は、光磁気ディスク２の情報記録面にレーザービームを走査させて、光磁気ディスク２の情報記録面を一様な極性に垂直磁化して初期化するようになされている。
【００２７】
これに対してオペレータにより初期化処理とＢＣＡの記録とが指示されると、システム制御回路１１は、同様の制御により、外周側から内周側に順次レーザービームを走査させて初期化の処理を実行する。またこのようにして磁気ヘッド４及び光学ヘッド５が光磁気ディスク２の最内周に至ると、レーザービームの光量をモニタ用の光量に立ち下げ、これにより初期化処理を終了する。続いてシステム制御回路１１は、ＢＣＡ信号生成回路１２の動作を立ち上げると共に、磁界駆動回路７、レーザー駆動回路８の動作基準をこのＢＣＡ信号生成回路１２で生成されるＢＣＡ信号に切り換え、ＢＣＡの幅の分だけ磁気ヘッド４及び光学ヘッド５を外周側に順次変位させ、これによりＢＣＡを記録する。
【００２８】
すなわち図２に示すように、初期化の処理によりこのＢＣＡの領域を一定の極性に着磁した状態で（図２（Ａ１））、磁界駆動回路７による駆動により間欠的に磁気ヘッド４による磁界の向きを逆転させ（図２（Ａ２））、レーザー駆動回路８による駆動によりこの磁界の逆転に同期してレーザービームの光量（ＬＤ）をモニタ用の光量（ＬＯ）から書き込み用の光量（ＨＩ）に立ち上げ（図２（Ｂ２））、この動作をＢＣＡの幅の分だけ繰り返してＢＣＡを記録する。
【００２９】
このようにしてＢＣＡを記録すると、システム制御回路１１は、ＢＣＡ信号生成回路１２の動作を停止制御すると共に、レーザー駆動回路８によりレーザービームの光量をモニタ用の光量に立ち下げ、又はレーザービームの照射を停止させ、光磁気ディスク２を排出可能に磁気ヘッド４及び光学ヘッド５を移動させる。また続いて図示しないロボットによりこの光磁気ディスク２を排出し、処理対象を続く光磁気ディスク２に切り換える。
【００３０】
かくするにつき図３は、この一連の処理に係る初期化装置１のタイムチャートであり、符号ＳＴにより示すトリガ信号（図３（Ａ））がシステム制御回路１１より出力される動作開始の指示であり、これにより例えば時点ｔ１により光磁気ディスク２の装填が通知されると、サーボ回路１０を介してスピンドルモータ３が動作を立ち上げるようになされている（図３（Ｂ））。またこのようにしてスピンドルモータ３の回転速度が定常速度となると、磁気ヘッド４及び光学ヘッド５の外周側から内周側への移動方向を指示するステータスＳＴ１が立ち上がり（図３（Ｃ））、磁気ヘッド４及び光学ヘッド５が最外周から最内周に移動するまでの間、光学ヘッド５がフォーカス制御された状態で（図３（Ｆ））、レーザービームが書き込み時の光量により照射され（図３（Ｅ））、また磁気ヘッド４により一定方向の磁界が印加される（図３（Ｇ））。
【００３１】
また最内周まで光学ヘッド５等が移動すると、磁気ヘッド４及び光学ヘッド５の内周側から外周側への移動方向を指示するステータスＳＴ２が立ち上がり（図３（Ｄ））、ＢＣＡ記録するようになされている。
【００３２】
これらによりこの実施の形態において、スピンドルモータ３及びサーボ回路１０は、光磁気ディスク２を回転駆動する光磁気ディスク駆動手段を構成し、磁気ヘッド４、磁界駆動回路７は、光磁気ディスク２に磁界を印加する磁界印加手段を構成するようになされている。また光学ヘッド５、レーザー駆動回路８は、光磁気ディスク２にレーザービームを照射するレーザービーム照射手段を構成し、送りモータ６、サーボ回路１０は、これら磁界印加手段、レーザービーム照射手段とを一体に保持して、光磁気ディスク２の半径方向に可動する可動手段を構成するようになされ、システム制御回路１１、ＢＣＡ信号生成回路１２は、これら光磁気ディスク駆動手段、磁界印加手段、レーザービーム照射手段、可動手段を制御する制御手段を構成するようになされている。
【００３３】
（２）実施の形態の動作
以上の構成において、この初期化装置１においては、光磁気ディスク２を初期化する場合、スピンドルモータ３により光磁気ディスク２を回転させながら、送りモータ６により磁気ヘッド４及び光学ヘッド５が最外周から最内周に順次移動され、光学ヘッド５よりレーザービームを出射してこのレーザービームにより光磁気ディスク２の全面を走査する。またこのレーザービームの照射位置に、磁気ヘッド４により一定極性の磁界を印加し、これにより熱磁気記録の手法を適用して、光磁気ディスクの情報記録面を一様な極性に垂直磁化して初期化の処理を実行するようになされている。
【００３４】
ＢＣＡ記録が指示されている場合、このようにして初期化の処理を完了して最内周に位置する磁気ヘッド４及び光学ヘッド５を、初期化の場合とは逆に、外周側へ順次移動させ、ＢＣＡにより記録するデータ列に応じてＢＣＡ信号生成回路１２で生成したＢＣＡ信号により光学ヘッド５から出射されるレーザービームの光量がモニタ用の光量から書き込み用の光量に間欠的に立ち上げられ、またこの光量の立ち上げに同期して磁気ヘッド４による磁界の極性が切り換えられる。初期化装置１では、光磁気ディスク２が回転する毎に、このＢＣＡ信号が繰り返され、これによりバーコード状に極性の異なる領域が光磁気ディスク２の最内周に形成されてＢＣＡが記録される。
【００３５】
これによりこの初期化装置１においては、初期化の処理と継続して、何らオペレータの手を煩わせることなくＢＣＡを記録することができ、その分、光磁気ディスクにＢＣＡを記録する場合に、生産性を向上することができる。
【００３６】
（３）実施の形態の効果
以上の構成によれば、初期化処理の後、初期化の処理に供する磁界の極性を反転させてレーザービームの光量を間欠的に立ち上げてＢＣＡを作成することにより、光磁気ディスクにＢＣＡを記録する場合に、生産性を向上することができる。
【００３７】
（４）他の実施の形態
なお上述の実施の形態においては、モニタ用の光量から書き込み用の光量へのレーザービームの間欠的な立ち上りに同期して磁気ヘッド４による磁界の極性を切り換える場合について述べたが、本発明はこれに限らず、ＢＣＡ記録時においては、磁界の極性の切り換えを省略して、初期化時とは逆の極性に保持するようにしてもよい。
【００３８】
また上述の実施の形態においては、外周側より内周側に初期化し、内周側より外周側にＢＣＡを記録する場合について述べたが、本発明はこれに限らず、初期化及びＢＣＡ記録の双方において、内周側から外周側により実行する場合等、初期化の方向、ＢＣＡ記録の方向にあっては、適宜設定することができる。
【００３９】
また上述の実施の形態においては、光磁気ディスク２を間に挟んで、光学ヘッドと対向するようにコイル４Ｂを配置する場合について述べたが、本発明はこれに限らず、光学ヘッド側にコイルを配置する場合等にも広く適用することができる。
【００４０】
また上述の実施の形態においては、コイル４Ｂにより光磁気ディスク２に磁界を印加する場合について述べたが、本発明はこれに限らず、コイル４Ｂに代えて永久磁石を設けるようにしてもよい。
【００４１】
【発明の効果】
上述のように本発明によれば、初期化処理の後、初期化の処理に供する磁界の極性を反転させてレーザービームの光量を間欠的に立ち上げてＢＣＡを作成することにより、光磁気ディスクにＢＣＡを記録する場合に、生産性を向上することができる。
【図面の簡単な説明】
【図１】本発明の実施の形態に係る初期化装置を示すブロック図である。
【図２】図１の初期化装置におけるＢＣＡ記録の説明に供するタイムチャートである。
【図３】図１の初期化装置における初期化処理とＢＣＡ記録の説明に供するタイムチャートである。
【図４】ＢＣＡの説明に供する平面図である。
【符号の説明】
１……初期化装置、２……光磁気ディスク、３……スピンドルモータ、４……磁気ヘッド、５……光学ヘッド、６……送りモータ、１０……サーボ回路、１１システム制御回路、１２……ＢＣＡ信号生成回路
【図１】
2004234768.tif 000003
【図２】
2004234768.tif 000004
【図３】
2004234768.tif 000005
【図４】
2004234768.tif 000006